(57)【特許請求の範囲】
【請求項１】
集合住宅の各世帯住宅におけるエネルギー消費量を計測して表示する集合住宅のエネルギー消費量の計測管理システムであって、
前記集合住宅内の複数の世帯住宅にそれぞれ設置された設備のエネルギー消費量を計測するエネルギー消費量計測手段と、
前記エネルギー消費量計測手段によって計測されて通信網を介して送信された計測値を受信する通信手段と、
前記複数の世帯住宅のエネルギー消費量の計測値を記憶させる計測データ記憶手段と、
前記計測データ記憶手段に記憶された前記複数の世帯住宅のエネルギー消費量の計測値を抽出して統計処理をおこなう統計処理手段と、
前記通信手段、前記計測データ記憶手段及び前記統計処理手段に接続されてこれらを制御する管理制御手段と、
前記統計処理手段によって算出された統計値と処理対象となる世帯住宅の計測値とを比較して表示する前記処理対象となる世帯住宅に設けられる表示手段とを備えたことを特徴とする集合住宅のエネルギー消費量の計測管理システム。
【請求項２】
前記処理対象となる世帯住宅の計測値よりも所定数値以上異なる世帯住宅の計測値は除かれて、前記統計処理手段によって統計値が算出されることを特徴とする請求項１に記載の集合住宅のエネルギー消費量の計測管理システム。
【請求項３】
前記表示手段は、前記集合住宅の共用設備におけるエネルギー消費量も表示可能とされていることを特徴とする請求項１又は２に記載の集合住宅のエネルギー消費量の計測管理システム。
【請求項４】
前記集合住宅は、太陽光発電装置を備え、前記表示手段は、前記太陽光発電装置に関する情報が表示可能とされていることを特徴とする請求項１乃至３のいずれか１項に記載の集合住宅のエネルギー消費量の計測管理システム。
【請求項５】
前記表示手段には、前記集合住宅全体のリサイクル品の回収状況も表示可能とされていることを特徴とする請求項１乃至４のいずれか１項に記載の集合住宅のエネルギー消費量の計測管理システム。
【請求項６】
前記エネルギー消費量は、電力消費量、水消費量及びガス消費量の少なくとも一つであることを特徴とする請求項１乃至５のいずれか１項に記載の集合住宅のエネルギー消費量の計測管理システム。
【請求項７】
前記管理制御手段は、前記集合住宅と略同一又は類似の集合住宅のエネルギー消費量管理システムを備えた別の集合住宅の管理制御手段と通信網を介して接続されていることを特徴とする請求項１乃至６のいずれか１項に記載の集合住宅のエネルギー消費量の計測管理システム。
【発明の詳細な説明】
【技術分野】
【０００１】
本発明は、集合住宅の各世帯住宅における電気、ガス、水などのエネルギー消費量を計測するとともに、計測値などを表示することでエネルギー消費量の削減を誘導する集合住宅のエネルギー消費量の計測管理システムに関するものである。
【背景技術】
【０００２】
近年、国家・自治体レベルや企業レベルにとどまらず、家庭レベルにおいても省エネルギーの意識が高まりつつある。
【０００３】
こうしたことから、各世帯住宅において、電気、ガス、水などのエネルギー消費量を計測するとともに、計測値などを表示することでエネルギー消費量の削減を誘導する計測管理システムが従来から提案されている（特許文献１などを参照）。
【０００４】
このような従来技術は、各世帯住宅と比較する対象として、一戸建て住宅と集合住宅とを混在させているために、多岐にわたる住宅に関する属性情報を含めて統計処理を行うものであった。
【先行技術文献】
【特許文献】
【０００５】
【特許文献１】特許第３９９５５０１号公報
【発明の概要】
【発明が解決しようとする課題】
【０００６】
しかしながら、多くの集合住宅は、その中に有る各世帯住宅の属性情報が略同一又は類似であるため、計測管理システムを構築するに際し、上記した従来技術のように、複雑な統計処理を必要としないことに、発明者らは着目した。
【０００７】
そこで、本発明は、複雑な統計処理を必要とせず、簡易な構造で実施することができる集合住宅のエネルギー消費量の計測管理システムを提供することを目的としている。
【課題を解決するための手段】
【０００８】
前記目的を達成するために、本発明の集合住宅のエネルギー消費量の計測管理システムは、集合住宅の各世帯住宅におけるエネルギー消費量を計測して表示する集合住宅のエネルギー消費量の計測管理システムであって、前記集合住宅内の複数の世帯住宅にそれぞれ設置された設備のエネルギー消費量を計測するエネルギー消費量計測手段と、前記エネルギー消費量計測手段によって計測されて通信網を介して送信された計測値を受信する通信手段と、前記複数の世帯住宅のエネルギー消費量の計測値を記憶させる計測データ記憶手段と、前記計測データ記憶手段に記憶された前記複数の世帯住宅のエネルギー消費量の計測値を抽出して統計処理をおこなう統計処理手段と、前記通信手段、前記計測データ記憶手段及び前記統計処理手段に接続されてこれらを制御する管理制御手段と、前記統計処理手段によって算出された統計値と処理対象となる世帯住宅の計測値とを比較して表示する前記処理対象となる世帯住宅に設けられる表示手段とを備えたことを特徴とする。
【０００９】
ここで、前記処理対象となる世帯住宅の計測値よりも所定数値以上異なる世帯住宅の計測値は除かれて、前記統計処理手段によって統計値が算出されるとよい。
【００１０】
また、前記表示手段は、前記集合住宅の共用設備におけるエネルギー消費量も表示可能とされているとよい。
【００１１】
さらに、前記集合住宅は、太陽光発電装置を備え、前記表示手段は、前記太陽光発電装置に関する情報が表示可能とされていてもよい。
【００１２】
また、前記表示手段には、前記集合住宅全体のリサイクル品の回収状況も表示可能とされているとよい。
【００１３】
さらに、前記エネルギー消費量は、電力消費量、水消費量及びガス消費量の少なくとも一つであるとよい。
【００１４】
また、前記管理制御手段は、前記集合住宅と略同一又は類似の集合住宅のエネルギー消費量管理システムを備えた別の集合住宅の管理制御手段と通信網を介して接続されていてもよい。
【００１５】
本発明の管理サーバは、上記した集合住宅のエネルギー消費量の計測管理システムを制御する管理サーバであって、前記集合住宅の複数の世帯住宅間で通信網を介してデータの送受信をおこなう通信手段と、前記複数の世帯住宅のエネルギー消費量の計測値を記憶させる計測データ記憶手段と、前記計測データ記憶手段に記憶された前記複数の世帯住宅のエネルギー消費量の計測値を抽出して統計処理をおこなう統計処理手段と、前記通信手段、前記計測データ記憶手段及び前記統計処理手段に接続されてこれらを制御する管理制御手段とを備えたことを特徴とする。
【００１６】
ここで、前記管理制御手段は、前記集合住宅と略同一又は類似の集合住宅のエネルギー消費量管理システムを備えた別の集合住宅の管理制御手段と通信網を介して接続されていてもよい。
【発明の効果】
【００１７】
このような本発明の集合住宅のエネルギー消費量の計測管理システムは、集合住宅の各世帯住宅におけるエネルギー消費量を計測して表示する集合住宅のエネルギー消費量の計測管理システムである。
【００１８】
そして、集合住宅内の複数の世帯住宅にそれぞれ設置された設備のエネルギー消費量を計測するエネルギー消費量計測手段と、エネルギー消費量計測手段によって計測されて通信網を介して送信された計測値を受信する通信手段と、複数の世帯住宅のエネルギー消費量の計測値を記憶させる計測データ記憶手段と、計測データ記憶手段に記憶された複数の世帯住宅のエネルギー消費量の計測値を抽出して統計処理をおこなう統計処理手段と、通信手段、計測データ記憶手段及び統計処理手段に接続されてこれらを制御する管理制御手段と、統計処理手段によって算出された統計値と処理対象となる世帯住宅の計測値とを比較して表示する処理対象となる世帯住宅に設けられる表示手段とを備えた構成とされている。
【００１９】
こうした構成なので、複雑な統計処理を必要とせず、簡易な構造で、集合住宅内の各世帯住宅のエネルギー消費量を計測し、合理的に算出された統計値と処理対象となる世帯住宅の計測値とを比較して表示し、エネルギー消費量の削減を誘導することができる。
【００２０】
ここで、処理対象となる世帯住宅の計測値よりも所定数値以上異なる世帯住宅の計測値は除かれて、統計処理手段によって統計値が算出される場合は、処理対象となる世帯住宅とは属性情報が全く異なる世帯住宅の計測値を除いたより合理的に算出された統計値と処理対象となる世帯住宅の計測値とを比較して表示し、エネルギー消費量の削減を誘導することができる。
【００２１】
また、表示手段は、集合住宅の共用設備におけるエネルギー消費量も表示可能とされている場合は、共用設備のエネルギー消費量を低く抑えられれば、共用設備費を低減できるので、集合住宅の全世帯住宅の住人の省エネルギー意識を高めることができる。
【００２２】
さらに、集合住宅は、太陽光発電装置を備え、表示手段は、太陽光発電装置に関する情報が表示可能とされている場合は、太陽光発電装置による発電電力の利用状況を確認でき、有効に利用されているかどうかを判断することができる。
【００２３】
また、表示手段には、集合住宅全体のリサイクル品の回収状況も表示可能とされている場合は、リサイクル品の種類によっては現金収入になるので、共用設備費をさらに低減することができる。
【００２４】
さらに、エネルギー消費量は、電力消費量、水消費量及びガス消費量の少なくとも一つである場合は、様々な種類のエネルギー消費量を対象とすることができる。
【００２５】
また、管理制御手段は、集合住宅と略同一又は類似の集合住宅のエネルギー消費量管理システムを備えた別の集合住宅の管理制御手段と通信網を介して接続されている場合は、処理対象となる世帯住宅と属性情報が略同一又は類似の世帯住宅がその集合住宅内において数少なかったり、或いは無かったりしたときでも、外部からの情報により、合理的に算出された統計値を得ることができる。
【００２６】
このような本発明の管理サーバは、上記した集合住宅のエネルギー消費量の計測管理システムを制御する管理サーバである。
【００２７】
そして、集合住宅の複数の世帯住宅間で通信網を介してデータの送受信をおこなう通信手段と、複数の世帯住宅のエネルギー消費量の計測値を記憶させる計測データ記憶手段と、計測データ記憶手段に記憶された複数の世帯住宅のエネルギー消費量の計測値を抽出して統計処理をおこなう統計処理手段と、通信手段、計測データ記憶手段及び統計処理手段に接続されてこれらを制御する管理制御手段とを備えた構成とされている。
【００２８】
こうした構成なので、複雑な統計処理を必要とせず、簡易な構造で、合理的な統計値を算出し、処理対象となる世帯住宅に提供することができる。
【００２９】
ここで、管理制御手段は、集合住宅と略同一又は類似の集合住宅のエネルギー消費量管理システムを備えた別の集合住宅の管理制御手段と通信網を介して接続されている場合は、処理対象となる世帯住宅と属性情報が略同一又は類似の世帯住宅がその集合住宅内において数少なかったり、或いは無かったりしたときでも、外部からの情報により、合理的に算出された統計値を提供することができる。
【図面の簡単な説明】
【００３０】
【図１】実施例１の集合住宅のエネルギー消費量の計測管理システムの概略構成を示したブロック図である。
【図２】実施例１の集合住宅のエネルギー消費量の計測管理システムの世帯住宅側の概略構成を示したブロック図である。
【図３】計測値と統計値とを比較して表示した図であって、（ａ）は、年間を通して比較をおこなった表示例であり、（ｂ）は、一日の中での比較をおこなった表示例である。
【図４】リサイクル品の回収状況の表示例を示す図である。
【図５】太陽光発電装置による発電電力の利用状況の表示例を示す図である。
【図６】実施例２の集合住宅のエネルギー消費量の計測管理システムの概略構成を模式的に示した説明図である。
【発明を実施するための形態】
【００３１】
以下、本発明を実施するための形態を、図面に示す実施例１，２に基づいて説明する。
【実施例１】
【００３２】
先ず、実施例１について説明する。
【００３３】
図１は、実施例１の集合住宅のエネルギー消費量の計測管理システムの概略構成を示したブロック図である。
【００３４】
この実施例１の集合住宅のエネルギー消費量の計測管理システムは、世帯住宅Ｈ１〜ＨＸとエレベータなどの共用設備ＣＵとを有する集合住宅Ｂ１と、管理サーバ３との間で成り立つシステムである。
【００３５】
すなわち、集合住宅Ｂ１の各世帯住宅Ｈ１〜ＨＸには、エネルギー消費量計測手段としての計測器１と、表示手段としての表示モニタ２と、中継器Ｒとがそれぞれ設置されている。
【００３６】
また、エレベータなどの共用設備ＣＵにも、エネルギー消費量計測手段としての計測器１と、中継器Ｒとが設置されている。
【００３７】
さらに、管理会社などの管理者側に設置された管理サーバ３は、通信手段としての通信部３３と、管理制御手段としての制御部３０と、諸情報記憶用データベース３１と、計測データ記憶手段としての計測値データベース３２と、統計処理をおこなう統計処理手段としての統計処理部４とを備えている。
【００３８】
そして、集合住宅Ｂ１の各世帯住宅Ｈ１〜ＨＸの中継器Ｒと管理サーバ３の通信部３３とは、通信網としてのインターネットＮを介して接続されている。
【００３９】
まず、図２を参照しながら、集合住宅Ｂ１側の世帯住宅Ｈ（Ｈ１〜ＨＸ）の詳細について主に説明する。
【００４０】
この世帯住宅Ｈは、電力会社の発電所や地域毎に設置されたコジェネレーション設備などの系統電力から電力の供給を受けるための電力網としての系統電力網Ｅに接続されている。
【００４１】
この系統電力網Ｅと世帯住宅Ｈに配線された主幹１２０ａとは、電力量メータＥ１を介して繋がっており、主幹１２０ａは分電盤１２０に繋がっている。そして、この電力量メータＥ１によって、系統電力網Ｅと世帯住宅Ｈとの間に流れる電力量が計測される。
【００４２】
また、世帯住宅Ｈは、ガスや水などの電気以外のエネルギーの供給を受けるための系統インフラ網Ｇにも接続されている。すなわち、系統インフラ網Ｇのガス管や水道管を通って世帯住宅Ｈにガスや水が供給され、供給されるガス量と水量は、ガス・水道メータＧ１によって計測される。
【００４３】
なお、ここでは説明を簡略化するためにまとめて図示しているが、ガスと水は別系統で供給され、ガスメータと水道メータはそれぞれ別個に設置されている。
【００４４】
すなわち、この実施例１の集合住宅のエネルギー消費量の計測管理システムは、世帯住宅Ｈにおける電気、ガス、水などのエネルギーの消費量を計測することができるシステムである。
【００４５】
さらに、世帯住宅Ｈは、集合住宅Ｂ１に備えた太陽光発電装置５を割り当てられた分だけ利用可能とされているとともに、電力を一時的に蓄えておく蓄電装置としての蓄電池６０も備えている。
【００４６】
この太陽光発電装置５は、太陽エネルギーとしての太陽光を、太陽電池を利用することによって、直接、電力に変換して発電をおこなう装置である。この太陽光発電装置５は、太陽光を受けることができる時間帯にのみ電力を供給することが可能な装置である。
【００４７】
また、太陽光発電装置５によって発電された直流電力は、パワーコンディショナ５１によって交流電力に変換されて分電盤１２０に入力される。さらに、蓄電池６０に充電又は蓄電池６０から放電される際にも、パワーコンディショナ６１によって直流と交流の変換がおこなわれる。
【００４８】
また、世帯住宅Ｈには、様々なエネルギー負荷設備７Ａ〜７Ｅが設置されている。例えば、エアコンなどの空調装置７Ａ、照明スタンドやシーリングライトなどの照明装置７Ｂ、並びに冷蔵庫やテレビなどの家電装置７Ｃなどの電力によって稼働する電力負荷装置がある。
【００４９】
さらに、ガスコンロなどの調理負荷７Ｄ及びガスでお湯を作る給湯負荷７Ｅは、ガスを消費するガス負荷装置になる。また、給湯負荷７Ｅは、水を消費する水負荷装置でもある。さらに、水道の蛇口、トイレなども水負荷装置になる。
【００５０】
そして、これらの電力負荷装置７Ａ〜７Ｃの電力消費量を計測するためにエネルギー消費量計測手段としての計測センサ１１を取り付ける。
【００５１】
この計測センサ１１としては、世帯住宅Ｈの壁などに設けられた電源コンセントに差し込む形態のもの、天井に取り付けられるシーリングライトやペンダントライトなどのシーリングに差し込む形態のものなどが適宜使用される。
【００５２】
また、計測センサ１１は、世帯住宅Ｈ内のすべての電力負荷となる装置に取り付けることもできるが、空調設備や冷蔵庫など電力消費量の大きな装置など、特定の電力負荷装置にだけ取り付けてある。
【００５３】
また、分電盤１２０には、エネルギー消費量計測手段としての分電盤計測装置１２を接続する。この分電盤１２０には、入力側として主幹１２０ａと補助配線１２０ｃ，１２０ｄとが接続されており、出力側の分岐回路として複数の分岐幹１２０ｂが接続されている。
【００５４】
そして、主幹１２０ａを通って系統電力網Ｅからの電力が分電盤１２０に入力される。なお、世帯住宅Ｈに割り当てられた太陽光発電装置５で発電された電力を売る場合は、逆潮流として主幹１２０ａを通って系統電力網Ｅに発電された電力が送られることになる。
【００５５】
また、補助配線１２０ｃからは、世帯住宅Ｈに割り当てられた太陽光発電装置５で発電された電力が分電盤１２０に入力される。また、蓄電池６０と分電盤１２０とは、補助配線１２０ｄによって接続され、分電盤１２０から蓄電池６０への充電及び蓄電池６０から分電盤１２０への放電がおこなわれる。
【００５６】
この分電盤計測装置１２は、図示は省略されているが、主幹１２０ａの電力量を計測する外部側の計測器と、分岐幹１２０ｂ，・・・の数に合わせて設置される出力側の計測器と、補助配線１２０ｃ，１２０ｄの電力量をそれぞれ計測する計測器とを備えている。
【００５７】
そして、計測センサ１１，・・・及び分電盤計測装置１２によって計測された計測値は、無線又は有線の世帯住宅Ｈ内の通信手段を介して集計管理装置１３に送信される。この集計管理装置１３は、データの送受信をおこなう通信部と、受信した計測値などのデータを記録させるデータ蓄積部などを備えている。
【００５８】
なお、このデータ蓄積部には、ＲＡＭ(Random Access Memory)、ハードディスク、光ディスクなどの記憶装置が使用される。
【００５９】
また、データ蓄積部に記録させる計測値のデータは、計測日時が後から特定できるように、予め設定された一定間隔で保存させるか、又は計測センサ１１で計測した時刻、計測センサ１１が送信をおこなった時刻若しくは集計管理装置１３が受信した時刻などを時刻歴として付加して一緒に保存させる。
【００６０】
また、世帯住宅Ｈのガス及び水の消費量は、ガス・水道計測装置１４によって計測される。このガス・水道計測装置１４は、ガスメータＧ１又はガスメータとは別にガス管に接続されたガス用メータと接続される。このガス用メータには、ガス使用量に応じて発生するパルスカウントを計測する計測器が取り付けられている。
【００６１】
さらに、ガス・水道計測装置１４は、水道メータＧ１又はそれとは別に水道管に接続された水道用メータとも接続される。この水道用メータには、水使用量に応じて発生するパルスカウントを計測する計測器が取り付けられている。そして、ガス・水道計測装置１４で計測された計測値は、無線又は有線の世帯住宅Ｈ内の通信手段を介して集計管理装置１３に送信される。
【００６２】
また、図２に示す蓄電池６０のパワーコンディショナ６１に接続される蓄電量制御装置６は、蓄電池６０の充電制御及び放電制御をおこなう装置である。
【００６３】
例えば、蓄電量制御装置６では、蓄電池６０に夜間電力などの単価の安い電力を充電するようにし、充電された電力を昼間に優先的に使用するような制御をおこなう。また、太陽光発電装置５によって発電が行なわれ、割り当て分が有るときは、まず割り当て分の電力を消費し、蓄電池６０に蓄電された電力は、割り当てられた太陽光発電装置５の電力では不足する分を補うような制御をおこなう。
【００６４】
また、蓄電量制御装置６では、蓄電池６０の蓄電量の計測をおこない、その計測値は無線又は有線の世帯住宅Ｈ内の通信手段を介して集計管理装置１３に送信される。
【００６５】
また、この集計管理装置１３は、図２に示すように、ルータ１３ａ及びゲートウェイ１３ｂから成る中継器Ｒを介して通信網としてのインターネットＮに繋がっている。そして、同じくインターネットＮに接続された管理会社の管理サーバ３との間で、計測値や統計値などのデータの送受信や制御信号の送受信などをおこなうことができる。
【００６６】
例えば、集計管理装置１３のデータ蓄積部に記憶された計測値のデータは、時間単位、日単位又は月単位など設定された間隔毎に管理サーバ３に送信され、管理サーバ３では受信したデータに基づいて各種分析をおこなう。また、所定の間隔又は更新情報が生成されたときなどは、管理サーバ３から設定値や管理値や更新プログラムなどの各種信号を集計管理装置１３に送信することもできる。
【００６７】
また、世帯住宅Ｈ内のルータ１３ａに接続された表示モニタ２は、集計管理装置１３と無線又は有線の世帯住宅Ｈ内の通信手段を介してデータの送受信をおこなうことができる構成となっている。
【００６８】
そして、この表示モニタ２に、集計管理装置１３のデータ蓄積部に記録された計測値、管理サーバ３に蓄積された計測値、それらの計測値に基づく演算値、エネルギー消費量の評価をおこなうために統計処理された統計値などを表示させることができる。また、計測された計測値の詳細データを、リアルタイムに表示モニタ２に表示させることもできる。
【００６９】
また、図示は省略したが、この実施例１の集合住宅のエネルギー消費量の計測管理システムは、エレベータなどの共用設備ＣＵにおける電気などのエネルギーの消費量を計測することができるシステムでもある。
【００７０】
よって、共用設備ＣＵにおける計測値の詳細データも、リアルタイムに表示モニタ２に表示させることができる。
【００７１】
さらに、集合住宅Ｂ１の管理人又は当番の住人が、リサイクル品の回収状況を、図示省略の端末により、管理サーバ３へ送信すると、諸情報記憶用データベース３１に記録されるようになっている。そして、リサイクル品の回収状況も、表示モニタ２に表示させることができる。
【００７２】
また、世帯住宅Ｈに割り当てられた太陽光発電装置５で発電された電力の利用状況なども、管理サーバ３の諸情報記憶用データベース３１に記録されるようになっており、表示モニタ２に表示させることができる。
【００７３】
なお、表示モニタ２によって、集計管理装置１３の設定値を変更したり、集計管理装置１３などの制御プログラムの更新を指示したりという各種設定をおこなうこともできる。
【００７４】
このように通信網としてのインターネットＮを介して管理サーバ３に接続される世帯住宅Ｈは、図１に示すように集合住宅Ｂ１内に世帯住宅Ｈ１，Ｈ２，Ｈ３，・・・，ＨＸとして存在している。
【００７５】
そして、これらの世帯住宅Ｈ１，Ｈ２，Ｈ３，・・・，ＨＸに関する属性情報は、部屋の間取りや断熱性能が略同一であることから、略同一又は類似であるとの基本的な考えに立脚している。
【００７６】
但し、処理対象となる世帯住宅Ｈの計測値を１００％とし、例えば±５０％もの開きがある世帯住宅は、家族の人数が大きく異なるなどの属性情報の大きな違いが有るものとし、その計測値は除くものとする。
【００７７】
但し、この計測値の開きの値は、±５０％に限定されず、精度を上げるには、より小さな値とし、精度を下げるには、より大きな値とすればよい。
【００７８】
次に、実施例１の集合住宅のエネルギー消費量の計測管理システムの利用方法について説明しながら、管理サーバ３の詳細についても説明する。
【００７９】
まず、図１及び図２に示すように、エネルギー消費量を計測して表示する世帯住宅Ｈ１，Ｈ２，Ｈ３，・・・，ＨＸ及び共用設備ＣＵには、計測器１（計測センサ１１、分電盤計測装置１２など）を取り付け、管理サーバ３との間でデータの送受信がおこなえるようにする。
【００８０】
そして、各世帯住宅Ｈ１，Ｈ２，Ｈ３，・・・，ＨＸ及び共用設備ＣＵの計測器１で計測された計測値は、１０秒毎、時間毎、半日毎、日毎などの一定間隔で管理サーバ３に送信される。また、管理サーバ３の通信部３３で受信した計測値は、制御部３０を介して計測値データベース３２に逐次、記録される。
【００８１】
この計測値データベース３２に蓄積された計測値のデータは、制御部３０に接続された統計処理部４によって利用される。この統計処理部４では、計測値を計測値データベース３２から抽出し、その抽出された計測値に対して平均値や標準偏差などを求める統計処理をおこなう。
【００８２】
但し、処理対象となる世帯住宅Ｈの計測値を１００％とし、例えば±５０％もの開きがある世帯住宅の計測値は除くものとする。
【００８３】
そして、統計処理によって算出された統計値と計測値データベース３２に記録された計測値は、各世帯住宅Ｈ１，Ｈ２，Ｈ３，・・・，ＨＸの表示モニタ２，・・・が要求する単位（１０秒毎、時間毎、日毎、月毎など）の値に制御部３０で演算される。また、これらの演算値は、統計値及び計測値として通信部３３を介して各世帯住宅Ｈ１，Ｈ２，Ｈ３，・・・，ＨＸに送信され、図３に示したように、表示モニタ２，・・・には統計値と計測値とが比較可能な状態でそれぞれ表示される。
【００８４】
図３（ａ）では、世帯住宅Ｈ１の年間の電気消費量の計測値Ｍ１と、集合住宅Ｂ１の世帯住宅Ｈ１，Ｈ２，Ｈ３，・・・，ＨＸの集合から算出された平均値Ａ１とを対比して表示している。なお、この表示をおこなうにあたって、世帯住宅Ｈ１から管理サーバ３に向けて表示を月単位でおこなうように指示信号が送信されている。
【００８５】
この平均値Ａ１は、上述した統計処理部４によって算出された統計値であり、世帯住宅Ｈ１の住人は、属性情報が似た合理的な基準（平均値Ａ１）と自らのエネルギー消費量（計測値Ｍ１）とを比較して、浪費しているか否かの判断をすることができる。
【００８６】
一方、図３（ｂ）では、世帯住宅Ｈ１の一日の電気消費量の計測値Ｍ２と、集合住宅Ｂ１の世帯住宅Ｈ１，Ｈ２，Ｈ３，・・・，ＨＸの集合から算出された平均値Ａ２とを対比して表示している。なお、この表示をおこなうにあたって、世帯住宅Ｈ１から管理サーバ３に向けて表示を時間単位でおこなうように指示信号が送信されている。
【００８７】
このように一日の中でもエネルギー消費行動が適切になされているか否かの判断をおこなうことができる。
【００８８】
また、表示モニタ２の切替ボタンを押すと、図４に示したように、管理サーバ３の諸情報記憶用データベース３１に記録されているリサイクル品Ａ，Ｂ，Ｃ・・・の回収状況が、料金に換算されて、表示モニタ２に表示される。
【００８９】
さらに、表示モニタ２の切替ボタンを押すと、図５に示したように、管理サーバ３の諸情報記憶用データベース３１に記録されている割り当てられた太陽光発電装置５による発電電力の利用状況が、表示モニタ２に表示される。
【００９０】
次に、実施例１の作用効果について説明する。
【００９１】
このような実施例１の集合住宅のエネルギー消費量の計測管理システムは、集合住宅Ｂ１の各世帯住宅Ｈ１，Ｈ２，Ｈ３，・・・，ＨＸにおけるエネルギー消費量を計測して表示する集合住宅のエネルギー消費量の計測管理システムである。
【００９２】
そして、集合住宅Ｂ１内の各世帯住宅Ｈ１，Ｈ２，Ｈ３，・・・，ＨＸにそれぞれ設置された設備のエネルギー消費量を計測するエネルギー消費量計測手段としての計測器１と、通信網としてのインターネットＮを介して送信された計測値を受信する通信手段としての管理サーバ３の通信部３３と、計測値を記憶させる計測データ記憶手段としての計測値データベース３２と、計測値を抽出して統計処理をおこなう統計処理手段としての管理サーバ３の統計処理部４と、通信部３３、計測値データベース３２及び統計処理部４に接続されてこれらを制御する管理制御手段としての管理サーバ３の制御部３０と、統計処理部４によって算出された統計値と処理対象となる世帯住宅Ｈの計測値とを比較して表示する処理対象となる世帯住宅Ｈに設けられる表示手段としての表示モニタ２とを備えた構成とされている。
【００９３】
こうした構成なので、複雑な統計処理を必要とせず、簡易な構造で、集合住宅Ｂ１内の各世帯住宅Ｈ１，Ｈ２，Ｈ３，・・・，ＨＸのエネルギー消費量を計測し、合理的に算出された統計値と処理対象となる世帯住宅Ｈの計測値とを比較して表示し、エネルギー消費量の削減を誘導することができる。
【００９４】
ここで、処理対象となる世帯住宅Ｈの計測値よりも所定数値以上異なる世帯住宅の計測値は除かれて、統計処理部４によって統計値が算出される。
【００９５】
このため、処理対象となる世帯住宅Ｈとは属性情報が全く異なる世帯住宅の計測値を除いたより合理的に算出された統計値と処理対象となる世帯住宅Ｈの計測値とを比較して表示し、エネルギー消費量の削減を誘導することができる。
【００９６】
また、表示モニタ２は、集合住宅Ｂ１のエレベータなどの共用設備ＣＵにおけるエネルギー消費量も表示可能とされている。
【００９７】
このため、共用設備ＣＵのエネルギー消費量を低く抑えられれば、共用設備費を低減できるので、集合住宅Ｂ１の全世帯住宅Ｈ１〜ＨＸの住人の省エネルギー意識を高めることができる。
【００９８】
さらに、集合住宅Ｂ１は、太陽光発電装置５を備え、表示モニタ２は、処理対象となる世帯住宅Ｈに割り当てられた太陽光発電装置５による発電電力の利用状況を表示可能とされている。
【００９９】
このため、割り当てられた太陽光発電装置５による発電電力が有効に利用されているかどうかを判断することができる。
【０１００】
また、表示モニタ２には、集合住宅Ｂ１全体のリサイクル品の回収状況も表示可能とされている。
【０１０１】
このため、リサイクル品の種類によっては現金収入になるので、共用設備費をさらに低減することができる。
【０１０２】
さらに、エネルギー消費量は、電力消費量だけでなく、水消費量及びガス消費量も含まれる。
【０１０３】
このため、より多くの種類のエネルギー消費量の削減を誘導することができる。
【０１０４】
このような実施例１の管理サーバ３は、上記した集合住宅のエネルギー消費量の計測管理システムを制御する管理サーバである。
【０１０５】
そして、集合住宅Ｂ１の各世帯住宅Ｈ１，Ｈ２，Ｈ３，・・・，ＨＸ間で通信網としてのインターネットＮを介してデータの送受信をおこなう通信手段としての通信部３３と、各世帯住宅Ｈ１，Ｈ２，Ｈ３，・・・，ＨＸのエネルギー消費量の計測値を記憶させる計測データ記憶手段としての計測値データベース３２と、計測値を抽出して統計処理をおこなう統計処理手段としての統計処理部４と、通信部３３、計測値データベース３２及び統計処理部４に接続されてこれらを制御する管理制御手段としての制御部３０とを備えた構成とされている。
【０１０６】
こうした構成なので、複雑な統計処理を必要とせず、簡易な構造で、合理的な統計値を算出し、処理対象となる世帯住宅Ｈに提供することができる。
【０１０７】
ここで、管理サーバ３は、リサイクル品の回収状況、及び太陽光発電装置５による発電電力の利用状況が記録される諸情報記憶用データベース３１も備えている。
【０１０８】
このため、リサイクル品の回収状況、及び太陽光発電装置５による発電電力の利用状況も、処理対象となる世帯住宅Ｈに提供することができる。
【実施例２】
【０１０９】
次に、実施例２について説明する。
【０１１０】
なお、上記実施例１で説明した内容と同一乃至均等な部分の説明については同一符号を付して説明する。
【０１１１】
図６は、実施例２の集合住宅のエネルギー消費量の計測管理システムの概略構成を模式的に示した説明図である。
【０１１２】
この実施例２の集合住宅のエネルギー消費量の計測管理システムでは、図示は省略したが、管理サーバ３の制御部３０は、通信部３３から通信網としてのインターネットＮを介して、集合住宅Ｂ１の各世帯住宅Ｈ１，Ｈ２，Ｈ３，・・・，ＨＸだけでなく、集合住宅Ｂ１と略同一又は類似の集合住宅Ｂ２，Ｂ３，・・・，ＢＸの各世帯住宅とも接続されている。
【０１１３】
このため、処理対象となる世帯住宅Ｈと属性情報が略同一又は類似の世帯住宅が集合住宅Ｂ１内において数少なかったり、或いは無かったりしたときでも、外部からの情報により、合理的に算出された統計値を得ることができる。
【０１１４】
また、この実施例２の管理サーバ３は、上記した構成なので、処理対象となる世帯住宅Ｈと属性情報が略同一又は類似の世帯住宅が集合住宅Ｂ１内において数少なかったり、或いは無かったりしたときでも、外部からの情報により、合理的に算出された統計値を提供することができる。
【０１１５】
これらのことが、上記実施例１と主に異なる。
【０１１６】
なお、他の構成及び作用効果については、上記実施例１と略同様であるので説明を省略する。
【０１１７】
以上、図面を参照して、本発明を実施するための形態について実施例１，２をもとに詳述してきたが、具体的な構成は、上記した実施例１，２に限らず、本発明の要旨を逸脱しない程度の設計的変更は、本発明に含まれる。
【０１１８】
例えば、上記実施例１，２では、管理サーバ３は、通信部３３、制御部３０、諸情報記憶用データベース３１、計測値データベース３２及び統計処理部４のすべてを備えたものとしたが、これに限定されるものではなく、諸情報記憶用データベース３１や計測値データベース３２などが管理サーバ３と一体に設けられていない構成であってもよい。
【符号の説明】
【０１１９】
１            計測器（エネルギー消費量計測手段）
１１          計測センサ（エネルギー消費量計測手段）
１２          分電盤計測装置（エネルギー消費量計測手段）
１４          ガス・水道計測装置（エネルギー消費量計測手段）
２            表示モニタ（表示手段）
３            管理サーバ
３０          制御部（管理制御手段）
３１          諸情報記憶用データベース
３２          計測値データベース（計測データ記憶手段）
３３          通信部（通信手段）
４            統計処理部（統計処理手段）
５            太陽光発電装置
７Ａ〜７Ｅ    エネルギー負荷設備（設備）
Ｂ１〜Ｂ３，ＢＸ  集合住宅
Ｈ，Ｈ１〜Ｈ３，ＨＸ  世帯住宅
ＣＵ          共用設備
Ｎ            インターネット（通信網）
Ａ１，Ａ２    平均値（統計値）
【図１】
0005503958.tif 000002
【図２】
0005503958.tif 000003
【図３】
0005503958.tif 000004
【図４】
0005503958.tif 000005
【図５】
0005503958.tif 000006
【図６】
0005503958.tif 000007